(57)【要約】【解決手段】対象物が、少なくとも１つのマッピングされた電界領域内に位置する。正確かつ高速に複数の対象物を柔軟に支持する構成設定を通して、位置追跡の環境がマッピングされる。ホストおよびリピータデバイスが、空間を規定する多面体の頂点に配置される。多面体の辺の長さは、２つのデバイス間の修正された物理的距離として規定される。このモーフィングは、システムによって測定されたパラメータまたはシステムに入力されたパラメータを用いる。モーフィングされた三次元サブゾーンは、頂点にあるデバイスによって規定された多面体の体積内に規定される。【選択図】図５
2013502585.tif 000002
【特許請求の範囲】
【請求項１】
電界領域内での対象物位置追跡のためのシステムであって、
対象物に関連付けられた少なくとも１つのタグと、
少なくとも１つのホストと、
を備え、
前記少なくとも１つのホストは、前記少なくとも１つのタグおよび前記少なくとも１つのホストの内の少なくとも１つによって生成された電界の特性を決定し、それにより、前記電界領域内での前記少なくとも１つのタグの位置が前記特性から決定される、システム。
【請求項２】
請求項１に記載のシステムであって、さらに、
少なくとも１つのリピータを備え、
前記少なくとも１つのリピータおよび前記少なくとも１つのホストの内の少なくとも１つは、前記少なくとも１つのタグ、前記少なくとも１つのホスト、および、前記少なくとも１つのリピータの内の少なくとも１つによって生成された電界の特性を決定し、前記少なくとも１つのリピータは、前記少なくとも１つのホストと通信し、それにより、前記電界領域内での前記少なくとも１つのタグの位置が前記特性から決定される、システム。
【請求項３】
請求項１に記載のシステムであって、前記位置の決定は、三空間次元を含む、システム。
【請求項４】
請求項１に記載のシステムであって、前記電界領域は、少なくとも１つのグループを含む少なくとも１つのセクタを含み、前記少なくとも１つのグループは、少なくとも１つのサブゾーンを含む少なくとも１つのゾーンを含む、システム。
【請求項５】
請求項１に記載のシステムであって、対象物の位置決定はルールを含み、前記ルールは、環境および対象物特性に適合するためのオーバーライドを含む、システム。
【請求項６】
請求項１に記載のシステムであって、前記位置の決定は、タグがホストに関連付けられた時に前記タグを特定の位置に割り当てることを含み、前記ホストは近接デバイスとして構成される、システム。
【請求項７】
請求項１に記載のシステムであって、環境特性および対象物特性の通信はメッセージを含み、前記メッセージは、タグ位置、バッテリ電圧、周囲温度、ホストからのＲＦ強度、位置未特定タグ、および、タグ近接の内の少なくとも１つを含む、システム。
【請求項８】
請求項１に記載のシステムであって、前記対象物位置追跡は、前記電界領域をマッピングすることを含む、システム。
【請求項９】
請求項８に記載のシステムであって、前記マッピングは、電界パラメータを含む、システム。
【請求項１０】
請求項１に記載のシステムであって、マッピングされる電界パラメータが、タグからホストへの受信信号強度（ＲＳＳＩ）と、ホストからタグへのＲＳＳＩとを含む、システム。
【請求項１１】
請求項１に記載のシステムであって、アセットタグの出現によってアセットテーブルが更新される、システム。
【請求項１２】
請求項１に記載のシステムであって、対象物追跡が閾値を含むことにより、効率が向上される、システム。
【請求項１３】
対象物を追跡するための方法であって、
領域の電界特性を測定する工程と、
前記測定された特性から少なくとも１つの対象物を特定する工程と、
前記測定された特性から前記対象物の少なくとも位置を決定する工程と、
を備える、方法。
【請求項１４】
請求項１３に記載の方法であって、位置を規定するために電界領域がマッピングされる、方法。
【請求項１５】
請求項１３に記載の方法であって、さらに、前記領域の前記電界の前記特性を決定するために較正を行うことによって、前記領域の前記電界を特性に対してマッピングする工程を備える、方法。
【請求項１６】
請求項１３に記載の方法であって、前記特性は、位置に対するＲＦ電界特性を含む、方法。
【請求項１７】
請求項１３に記載の方法であって、位置の解像度が設定可能であることにより、精度および速度が向上される、方法。
【請求項１８】
請求項１３に記載の方法であって、前記少なくとも１つの対象物は、対象物パラメータによってソートされる、方法。
【請求項１９】
請求項１３に記載の方法であって、前記対象物の少なくとも位置を決定する工程は、メッセージチェック頻度を規定する設定可能なスリープ時間を含み、それによって効率が向上される、方法。
【請求項２０】
電界領域内での対象物追跡のためのシステムであって、
少なくとも１つのタグを備える少なくとも１つの対象物と、
少なくとも１つのホストと、
少なくとも１つのリピータと、
を備え、
前記少なくとも１つのリピータは、前記少なくとも１つのタグを備える前記少なくとも１つの対象物によって生成された電界の特性を決定し、前記少なくとも１つのホストと通信し、それによって、前記電界領域内での前記少なくとも１つの対象物の三次元空間位置が前記特性から決定され、特性データベース内に存在しない前記タグに対しては、偽位置メッセージが無視され、電界マッピング特性は拡張マークアップ言語（ＸＭＬ）文書を含み、前記対象物追跡は、ネットワーク外情報、パージ時間、および、メッセージチェック頻度を規定する設定可能なスリープ時間を含み、それによって効率が向上される、システム。
【発明の詳細な説明】
【技術分野】
【０００１】
本願は、２００９年８月２０日出願の米国特許出願第１２／５４４，４９３号の利益を主張し、その内容は参照によってすべての目的のために全体が本明細書に組み込まれる。
【０００２】
本発明は、無線対象物位置追跡に関し、特に、相互接続されたトランシーバと通信する高周波識別（ＲＦＩＤ）タグを用いて対象物の位置およびデータを追跡するためのシステムおよび方法に関する。
【背景技術】
【０００３】
リアルタイム位置情報システム（ＲＴＬＳ）は、通例、関連付けられたタグによって対象物を追跡する。それらのシステムは、ユニークデバイス識別（ＵＤＩ）を提供することが可能であり、ＲＦ信号の受信信号強度（ＲＳＳＩ）を用いて相対的な位置を算出しうる。個人に対しては、医療施設、倉庫、位置が重要となるその他の場所などの環境で追跡を行うために、バッジが用いられる。固定または携帯型リーダと通信するために、社員バッジおよびアセットタグは、パッシブまたはアクティブＲＦＩＤを備えてよい。
【０００４】
ＲＴＬＳがタグとインターフェースをとってタグの位置を決定する際の通信プロトコルとして、Ｗｉ−Ｆｉ規格（８０２．１１）が利用されてきた。一部のタグは、大企業の要求を満たす規模を意図しているが、成功しておらず、小規模の設置に限られている。現場での精度が、ビジネスのニーズを満たすのに不十分である可能性がある。例えば、精度は、環境および固定ステーションの位置によって悪化する場合がある。一部のシステムは、習得して利用することが困難であり、視覚的要素を欠いている。また、位置特定または識別の速度が許容できないレベルである場合もある。いくつかのタグが送信を行い、それらの位置が更新されるまでに、数分掛かりうる。一部の例では、時間間隔が短縮されている場合もあるが、結果として、タグのバッテリ寿命が許容できないレベルになる。
【０００５】
これらのシステムは、様々なレベルの精度で人および物品を監視する。病院施設などの複数の環境に適した拡張可能なシステムで資産およびそれらの属性を経済的かつ正確に追跡できることが求められている。
【発明の概要】
【０００６】
本発明の実施形態は、「ホストおよびリピータ」構成における無線タグを含む。これらのホストおよびリピータは、セクタおよびゾーンに編成される。位置特定サービスおよびデータ管理サービスの間で、位置が決定される。一般に、位置特定サービスは、タグのセクタおよびゾーンの位置を決定する。位置特定サービスは、この位置を、ゾーンを構成するホストおよび２つのリピータに対する電界強度測定値と共にタグ位置メッセージでデータ管理サービスに送信する。位置特定サービスは、ネットワークメッセージをリッスンし、次いで、それらのメッセージをＴａｇＩＤに基づいて分類する。次に、メッセージを最大信号強度から最小信号強度の順にソートする。その後、リストを調べて、セクタ内の第１のゾーン一致（最大測定値を有するゾーン）を見つけ出す。これが完了すると、タグ位置メッセージをデータ管理サービスに送信する。データ管理サービスは、タグからの測定値を処理して、タグの位置をプロジェクト管理アプリケーションに提供し、ビジネス機能を支援する。
【０００７】
実施形態は、電界領域内での対象物位置追跡のためのシステムを含み、システムは、対象物に関連付けられた少なくとも１つのタグと、少なくとも１つのホストと、を備え、少なくとも１つのホストは、少なくとも１つのタグおよび少なくとも１つのホストの内の少なくとも１つによって生成された電界の特性を決定し、それにより、電界領域内での少なくとも１つのタグの位置が特性から決定される。別の実施形態は、さらに、少なくとも１つのリピータを備え、少なくとも１つのリピータおよび少なくとも１つのホストの内の少なくとも１つは、少なくとも１つのタグ、少なくとも１つのホスト、および、少なくとも１つのリピータの内の少なくとも１つによって生成された電界の特性を決定し、少なくとも１つのリピータは、少なくとも１つのホストと通信し、それにより、電界領域内での少なくとも１つのタグの位置が特性から決定される。さらなる実施形態では、位置決定は、三空間次元を含む。別の実施形態において、電界領域は、少なくとも１つのグループを含む少なくとも１つのセクタを含み、少なくとも１つのグループは、少なくとも１つのサブゾーンを含む少なくとも１つのゾーンを含む。さらに別の実施形態では、対象物の位置決定はルールを含み、ルールは、環境および対象物特性に適合するためのオーバーライドを含み、位置決定は、タグがホストに関連付けられた時にタグを特定の位置に割り当てることを含み、ホストは近接デバイスとして構成される。別の実施形態において、環境特性および対象物特性の通信はメッセージを含み、メッセージは、タグ位置、バッテリ電圧、周囲温度、ホストからのＲＦ強度、位置未特定タグ、および、タグ近接の内の少なくとも１つを含む。さらなる実施形態では、対象物位置追跡は、電界領域をマッピングすることを含み、マッピングは電界パラメータを含む。さらに別の実施形態では、マッピングされる電界パラメータが、タグからホストへの受信信号強度（ＲＳＳＩ）と、ホストからタグへのＲＳＳＩとを含み、アセットタグの出現によってアセットテーブルが更新され、対象物追跡が閾値を含むことにより、効率が向上される。
【０００８】
実施形態は、さらに、対象物を追跡するための方法を含んでおり、その方法は、領域の電界特性を測定する工程と、測定された特性から少なくとも１つの対象物を特定する工程と、測定された特性から対象物の少なくとも位置を決定する工程と、を備える。別の実施形態では、位置を規定するために電界領域がマッピングされる。一実施形態において、方法は、さらに、領域の電界の特性を決定するために較正を行うことによって、領域の電界を特性に対してマッピングする工程を備える。別の実施形態において、特性は、位置に対するＲＦ電界特性を含み、位置の解像度が設定可能であることによって精度および速度が向上され、少なくとも１つの対象物は、対象物パラメータによってソートされる。別の一実施形態では、対象物の少なくとも位置を決定する工程は、メッセージチェック頻度を規定する設定可能なスリープ時間を含み、それによって効率が向上される。
【０００９】
さらなる実施形態は、電界領域内での対象物追跡のためのシステムを含んでおり、そのシステムは、少なくとも１つのタグを備える少なくとも１つの対象物と、少なくとも１つのホストと、少なくとも１つのリピータと、を備え、少なくとも１つのリピータは、少なくとも１つのタグを備える少なくとも１つの対象物によって生成された電界の特性を決定し、少なくとも１つのホストと通信し、それによって、電界領域内での少なくとも１つの対象物の三次元空間位置が特性から決定され、特性データベース内に存在しないタグに対しては、偽位置メッセージが無視され、電界マッピング特性は拡張マークアップ言語（ＸＭＬ）文書を含み、対象物追跡は、ネットワーク外情報、パージ時間、および、メッセージチェック頻度を規定する設定可能なスリープ時間を含み、それによって効率が向上される。
【００１０】
本明細書に記載された特徴および利点はすべてを包含しているわけではなく、特に、図面、明細書、および、特許請求の範囲を鑑みれば、多くのさらなる特徴および利点が当業者にとって明らかになる。さらに、本明細書で用いられている言語は、主に読みやすさと教示を目的として選択されたものであり、本発明の主題の範囲を限定しない。
【図面の簡単な説明】
【００１１】
【図１】一実施形態に従って構成されたホストおよびリスニングリピータの機能的なセクタ配置を示す図。
【００１２】
【図２】一実施形態に従ってホストおよびリスニングリピータのグループの構成を示す図。
【００１３】
【図３】一実施形態に従ってグループ１および２のゾーンの構成を示す図。
【００１４】
【図４】一実施形態に従ってグループ３および４のゾーンの構成を示す図。
【００１５】
【図５】一実施形態に従ってゾーン５のサブゾーンの構成を示す図。
【００１６】
【図６】一実施形態に従って多角形モーフィングの三次元の関係性を示す図。
【００１７】
【図７】一実施形態に従ってタグサブゾーン決定処理を示すフローチャート。
【００１８】
【図８】一実施形態に従って構成されたシステムアーキテクチャ要素を示す図。
【発明を実施するための形態】
【００１９】
システムのインフラの構成要素は、１または複数のセクタを規定するよう構成されたデバイスを含む。デバイスは、ホストおよびリピータに分類することができる。ホストは、タグと通信する機能、リピータを同期させる機能、および、タグと位置特定サーバとの間でプロトコルをブリッジする機能を実行する。リピータは、プロトコルをブリッジすることによってタグからホストに送信されているデータを繰り返すパッシブなリスニングデバイスである。セクタについて、セクタはグループに分割され、各グループはゾーンに分割される。続いて、ゾーンはサブゾーンに分割される。サブゾーンは、送信タグからの相対信号強度によって特徴付けられる。最初に構成要素レイアウトの説明を二次元で行い、その後、三次元に拡張する。それぞれの詳細を以下に示す。
【００２０】
図１は、一実施形態に従って構成されたホストおよびリスニングリピータを備える１つのセクタ１００を示す機能配置図である。セクタは、ホストデバイス１０５および個２〜８個のリピータからなる。この実施形態において、ホストは、一般に、８つのリピータの中央に物理的に配置されている。リピータは、便宜上コンパスの方位によって特定されているが、必ずしも実際の方位を示すものではない。説明のために、リピータは、北西（ＮＷ）１１０、北（Ｎ）１１５、北東（ＮＥ）１２０、西（Ｗ）１２５、東（Ｅ）１３０、南西（ＳＷ）１３５、南（Ｓ）１４０、および、南東（ＳＥ）１４５で示されている。この配置の命名方法は、三次元に拡張した際には利用されないことに注意されたい。
【００２１】
図２は、一実施形態においてグループを指定するために行ったセクタ内のホストおよびリピータの関連付け２００を示す。グループは、３つのリピータおよび１つのホストを含む。この実施形態において、セクタ全体には、ホストおよびリピータの４つの分類グループが含まれる。ホスト、ＮＷ、Ｎ、および、Ｗリピータを、グループ１（２０５）と呼ぶこととする。ホスト、ＳＷ、Ｓ、および、Ｗリピータを、グループ２（２１０）と呼ぶこととする。ホスト、ＮＥ、Ｓ、および、Ｅリピータを、グループ３（２１５）と呼ぶこととする。ホスト、ＮＥ、Ｎ、および、Ｅリピータを、グループ４（２２０）と呼ぶこととする。各グループの表現は、同じセクタ（セクタ１）についてのものである。
【００２２】
図３は、一実施形態においてセクタのグループ１および２内のゾーン３００を示す。ゾーンは、２つのリピータおよび１つのホストを含んでおり、結果として、グループ当たり３つのゾーンが存在する。グループ１（３０５）は、３つのゾーンを含む：ゾーン１（３１０）は、ホスト（Ｈ）、Ｎ、および、ＮＷを含み、ゾーン２（３１５）は、Ｈ、ＮＷ、および、Ｗを含み、ゾーン３（３２０）は、Ｈ、Ｎ、および、Ｗを含む。グループ２（３２５）は、３つのゾーンを含む：ゾーン４（３３０）は、Ｈ、Ｗ、および、ＳＷを含み、ゾーン５（３３５）は、Ｈ、ＳＷ、および、Ｓを含み、ゾーン６（３４０）は、Ｈ、Ｗ、および、Ｓを含む。
【００２３】
図４は、一実施形態においてセクタのグループ３および４内のゾーン４００を示す。グループ３（４０５）は、Ｈ、Ｓ、および、ＳＥを含むゾーン７（４１０）と、Ｈ、ＳＥ、および、Ｅを含むゾーン８（４１５）と、Ｈ、Ｓ、および、Ｅを含むゾーン９（４２０）とを含む。グループ４（４２５）は、Ｈ、Ｅ、および、ＮＥを含むゾーンＡ（４３０）と、Ｈ、Ｎ、および、ＮＥを含むゾーンＢ（４３５）と、Ｈ、Ｅ、および、Ｎを含むゾーンＣ（４４０）とを含む。
【００２４】
表１は、本実施形態のセクタのすべてのゾーンについてまとめたものである。
【表１】
2013502585.tif 000003
【００２５】
この特定の実施形態では、中央にある固定ホストを用いているが、ホストは、任意の幾何学的形状を構成するために動的に選択されてよい。一例として、上記の表においてグループ５については、ホストを含めることなく、三角形が規定されている。これは、ホストを選択するシステムソフトウェアによって、初期設定で行われてもよいし動的に行われてもよい。また、互いに隣接した３つのデバイスを選択しなければならない訳ではない。実施形態は、ＮＷ、ＳＥ、ＳＷを選択して、それらの１つにホストを割り当てることができる。これは、三次元で機能する場合にも当てはまる。三次元では、三角形は、多面体に交換される。空間モデルを考慮し、セクタ、ゾーン、および、サブゾーンを歪ませる仮想タグリーディングを追加する場合には、単純な三角形も残される。仮想タグは、電磁場の歪んだ領域を取り囲むように、ホストおよび／またはリピータによって規定された形状の側面を押したり引いたりする効果を有する。
【００２６】
図５は、一実施形態におけるゾーン内のサブゾーン５００を特定する図である。タグの位置に対してゾーンが決定されると、ゾーンの３つのデバイス（ホストおよびリピータ）の各々での受信信号強度が比較される。この実施形態において、ゾーンは、７つのサブゾーンに分割される。７つより多いサブゾーンまたは少ないサブゾーンに分割されてもよい。サブゾーンの数は、設定および構成オプションであってよい。上で挙げた各ゾーンは、セクタ内の１つのホストおよび２つのリピータを含む。表１に挙げた順番は、命名のために重要である。各ゾーンのデバイスは、左から右に向かって、そのゾーンのためのホスト、リピータ１、および、リピータ２の順に並んでいる。ゾーン５（５０５）は、ホスト５２０、ＳＷリピータ５１０、および、Ｓリピータ５１５を含む。ゾーン５（５０５）について、リピータ１は、セクタの南西（ＳＷ）リピータ５１０である。ゾーン５のリピータ２は、セクタの南（Ｓ）リピータ５１５である。図面は、各サブゾーンの概略の領域を示しているにすぎず、必ずしも具体的な点または位置を示しているわけではない。各ゾーン内の７つのサブゾーンに対する共通パラメータ定義は、ゾーン５を一例とすると、以下のように定義される。サブゾーン０（５２５）については、すべての３つの信号が、ほぼ等しい。サブゾーン１（５３０）については、ホスト５２０の信号が最大である。サブゾーン２（５３５）については、リピータ１（５１０）の信号が最大である。サブゾーン３（５４０）については、リピータ２（５１５）の信号が最大である。サブゾーン４（５４５）については、ホスト５２０およびリピータ１（５１０）の信号がほぼ等しく、リピータ２（５１５）の信号よりも強い。サブゾーン５（５５０）については、リピータ１（５１０）およびリピータ２（５１５）の信号がほぼ等しく、ホスト５２０の信号よりも強い。サブゾーン６（５５５）については、ホスト５２０およびリピータ２（５１５）の信号がほぼ等しく、リピータ１（５１０）の信号よりも強い。セクタ内の１２のゾーンの各々に対して７つのサブゾーンが存在するため、セクタ当たり８４のサブゾーンが存在する。この実施形態では、信号強度がパラメータとして観察される。強度または位相シフトなどその他のパラメータが用いられてもよい。
【００２７】
図６は、図１から図５の二次元の記載に対する三次元ボリューム拡張６００の一実施形態を示す。提示された二次元の概念と三次元の対応する概念との間の関係性について、以下で説明する。数学的には、多面体は、平坦面を有する任意の次元ｎのユークリッド空間内の集合として定義される。幾何学的には、多面体は、平坦な多角形面で形成された三次元形状である。面同士は、辺で交わる。辺は、直線線分である。これらの直線線分は、頂点で交わる。多面体の例としては、四面体６０５および６７０（４つの頂点および４つの三角面）、五面体（図示せず）（５つの頂点および５つの面、すなわち、四角錐）、および、立方体６３０（８つの頂点および６つの正方形の面）が挙げられる。多面体の辺は、対称な多面体では等しい場合もあるが、必ずしもそうではない。本願では、ホストおよびリピータデバイスは、多面体の頂点に配置される。４つのデバイスは四面体を規定し、５つのデバイスは五面体を規定し、６つのデバイスは立方体を規定しうる。同じ数の頂点および同じ種類の多面体を維持しつつ、辺の長さを変化させることができる。辺の長さは、２つのデバイス間の物理的距離として規定できる。これは、測定してシステムに格納することができる。数学的には、辺の値は、一例として信号強度を示しうる。それらは、隣接するまたは単に関連のあるデバイスすなわち頂点に適用されるパラメータによって様々でありうる。これは、１組の辺の値から別の組の辺の値へのモーフィングすなわち遷移と考えることができる。
【００２８】
図６の例によると、元の四面体６０５は、頂点６１０、６１５、６２０、および、６２５を備える。元の立方体６３０は、頂点６３５、６４０、６４５、６５０、６５５、６６０、および、６６５（そして、見えない１頂点）を備える。モーフィングされた四面体６７０およびモーフィングされた立方体６７５は、プライム記号（’）で示された頂点の間の辺の長さが異なる。モーフィングされた四面体６７０は、頂点６１０’、６１５’、６２０’、および、６２５’を備える。モーフィングされた立方体６６５は、頂点６３５’、６４０’、６４５’、６５０’、６５５’、６６０’、および、６６５’（そして、見えない１頂点）を備える。これは、頂点すなわちデバイスの間の様々な関係性を示している。測定、計算、手入力、または、それらのいくつかの組み合わせが可能である。例えば、電磁場の歪みはこのように表すことができる。金属の妨害物は、デバイスが実際よりも遠い距離に位置するかのように、信号強度を減衰させうる。これを、モーフィング調整によって考慮することができる。このように、モーフィングされた三次元サブゾーンは、頂点にあるデバイスによって規定された多面体の体積内に規定される。結果として、実際の環境内での精度が高くなる。
【００２９】
図７は、システム動作の実施形態を示すフローチャート７００である。図７Ａは、システム設定を構成する工程のフローチャートであり、図７Ｂは、タグ位置特定のフローチャートである。図７Ａは、対象物の位置特定および追跡のためのシステムを構成する工程のフローチャートである。工程７０５から開始され、ホストおよびリピータは、工程７１０において１または複数のセクタを規定するよう構成される。セクタ内のグループが、工程７１５で規定される。グループ内のゾーンが、工程７２０で規定される。ゾーン内のサブゾーンが、工程７２５で規定される。セクタ、グループ、ゾーン、および、サブゾーンによって規定された幾何形状は、工程７３０でｎ次元の幾何形状にモーフィングされ、工程７３５でシステム構成が終了する。図７Ｂは、サブゾーン内にタグを位置づけるための工程のフローチャートである。工程７４０から開始され、ホストおよびリピータは、工程７４５でタグからの信号をリッスンする。ホストおよびリピータで受信されたタグ信号の振幅が、工程７５０で記録される。これらの信号に基づいて、工程７５５でゾーンが決定される。受信信号強度の比較から、工程７６０でサブゾーンが決定され、工程７６５でサブゾーン決定が終了する。
【００３０】
システム動作の実施形態は、構成ファイル、サービス、および、メッセージを含む。サービスは、２つのＷｉｎｄｏｗｓ（登録商標）サービス、すなわち、位置特定サービスおよびデータ管理サービスを含む。構成ファイルは、位置特定サービスアプリケーション構成ファイルおよびデータ管理アプリケーション構成ファイルの各々に対して存在する。メッセージは、デバイスおよび位置特定サービスの間、ならびに、位置特定サービスおよびデータ管理サービスの間でやり取りされる。
【００３１】
セクタおよびゾーンが構成される時、拡張マークアップ言語（ＸＭＬ）文書が作成され、各セクタおよびこれらのセクタ内のゾーンを構成するホストおよびリピータを記述する。デバイスは、システム構成を記述するためにＸＭＬ文書で用いられるルータ・メディアアクセス制御（ＲＭＡＣ）アドレスを与えられる。このＸＭＬファイルは、データ管理サービスがセクタの現在の構成に関する情報を有するように、データ管理サービスによって読み出される。
【００３２】
実施形態において、構成データベースは、以下のテーブルを含む：顧客施設、顧客フロア、デバイスルータ、デバイス分類セクタ、デバイス分類グループ、および、デバイス分類ゾーン。
【００３３】
データ管理サービスアプリケーション構成
データ管理サービスアプリケーション構成設定が、データ管理サービスアプリケーション構成ファイルに含まれる。実施形態において、データ管理サービスのためのアプリケーション構成設定は、ＡｕｔｏＡｄｄＴａｇｓ、ｂａｔｔｅｒｙＤｅｌｔａ、ｂａｔｔｅｒｙＭａｘ、ｂａｔｔｅｒｙＭｉｎ、ｃｏｎｆｉｇＦｉｌｅｎａｍｅ、ＤｅｂｕｇＯｎ、ｆｌｏａｔＥｑｕａｌＲａｎｇｅ、ＬｉｓｔｅｎＰｏｒｔ、ｌｏｃａｔｉｏｎＡｇｅＯｕｔ、ｌｏｇＬｉｎｅＬｉｍｉｔ、ｌｏｇＰａｔｈ、ｐｕｒｇｅＨｏｕｒｓ、ＳｑｌＳｅｒｖｅｒＣｏｎｎｅｃｔＳｔｒｉｎｇ、ＴａｇＰｒｅｆｉｘ、ｔｅｍｐＭａｘ、ｔｅｍｐＭｉｎ、および、ｘｍｌＰａｔｈを含む。具体的には、ＡｕｔｏＡｄｄＴａｇｓが「Ｔｒｕｅ」に設定された場合、位置メッセージが位置特定サービスから受信されると、例えば、プロジェクト「可動生物医学アセット」のテーブル内に存在しないタグが自動的に追加される。「Ｆａｌｓｅ」に設定された場合、位置メッセージは、データベースに存在しないタグについては無視される。データ管理サービスは、ｂａｔｔｅｒｙＤｅｌｔａ構成設定より大きいバッテリ電圧の変化を記録する。バッテリ電圧の変化は、ＰｒｏｊｅｃｔＩｎｓｉｇｈｔ（商標）データベース内のＴａｇＶｏｌｔａｇｅＣｈａｎｇｅｓテーブルに記録される。ＢａｔｔｅｒｙＭａｘはバッテリ電圧の最大値であり、この量を超える値は無視される。ＢａｔｔｅｒｙＭｉｎはバッテリ電圧の最小値であり、この量より小さい値は無視される。実施形態の説明を続けると、ＣｏｎｆｉｇＦｉｌｅｎａｍｅは、セクタ／ゾーン構成を記述するＸＭＬファイルの名前である。ＤｅｂｕｇＯｎが「Ｔｒｕｅ」に設定されると、デバッグログファイルが作成され、ランタイム中にメッセージがこのファイルに記録される。ファイルは、ｌｏｇＰａｔｈとして設定されたディレクトリに置かれる。ＦｌｏａｔＥｑｕａｌＲａｎｇｅ値は、２つの浮動小数点数が「等しい」すなわち等価であると見なされるか否かを判定するために用いられる。これは、２以上のデバイスによって読み取られた場合にタグの信号強度値を比較する際に用いられる。その値は、プラスまたはマイナスであるため、値「３」は、＋／−３．０の範囲を有する。ＬｉｓｔｅｎＰｏｒｔは、サービスが位置特定サービスからのメッセージをリッスンするためのネットワークポートである。ＬｏｃａｔｉｏｎＡｇｅＯｕｔは、タグが「ネットワーク外」であるか否かを判定するためにデータ管理サービスが用いる秒数である。ＬｏｇＬｉｎｅＬｉｍｉｔは、新しいファイルを作成するまでのログファイル内のライン数の制限である。ＬｏｇＰａｔｈは、ログファイルが作成されるディレクトリである。ＰｕｒｇｅＨｏｕｒｓは、ＡｓｓｅｔＬｏｃａｔｉｏｎＬｏｇ内に値が保持されるパージまでの期間である。ＳｑｌＳｅｒｖｅｒＣｏｎｎｅｃｔＳｔｒｉｎｇは、ＰｒｏｊｅｃｔＩｎｓｉｇｈｔ（商標）データベースにアクセスするために用いる接続文字列である。ＴａｇＰｒｅｆｉｘは、ＡｕｔｏＡｄｄＴａｇｓが「Ｔｒｕｅ」に設定された場合に用いられる。ｍｏｂｌｉｅＢｉｏｍｅｄＡｓｓｅｔテーブルのＰｒｏｄｕｃｔＮａｍｅフィールドは、この設定の値の後に、キャピタライズされた１６進数を含むタグのＭＡＣアドレスの最後の３バイトを足したものに自動的に設定される。ＴｅｍｐＭａｘは、周囲温度の測定値の最大値であり、この量を超える値は無視される。ＴｅｍｐＭｉｎは、周囲温度の測定値の最小値であり、この量より小さい値は無視される。ＸｍｌＰａｔｈは、セクタ／ゾーン構成を記述するＸＭＬファイルの名前である。
【００３４】
位置特定サービス
位置特定サービスは、データベースから論理的セクタ／ゾーン構成を読み出す。位置特定サービスは、論理的セクタ／ゾーン構成をモデル化し、ホストおよびリピータからのタグ受信電界強度メッセージ、電圧メッセージ、および、周囲温度メッセージを処理する。タグからの信号が位置特定サービスで読まれると、それらの値が比較され、最大の信号を有するゾーンを用いて、位置が決定される。ゾーンが決定されると、信号が比較され、ゾーンはさらにサブゾーンに分割される。次いで、位置特定サービスは、セクタ／ゾーン／サブゾーン情報をデータ管理サービスに送信する。データ管理サービスは、セクタ／ゾーン／サブゾーンを部屋の位置に変換し、ＰｒｏｊｅｃｔＩｎｓｉｇｈｔ（商標）ウェブアプリケーションなどのプロジェクト管理アプリケーションによって用いられるデータベースを更新する。
【００３５】
位置特定サービスアプリケーション構成
実施形態において、位置特定サービスアプリケーション構成設定が、位置特定サービスアプリケーション構成ファイルに含まれる。アプリケーションが構築される時に、Ｍｉｃｒｏｓｏｆｔ．ｎｅｔＸＭＬアプリケーション構成ファイルが自動的に生成される。そのファイルは、アプリケーションのための設定可能なパラメータを設定するために用いることができる。実施形態において、位置特定サービスのためのアプリケーション構成設定は、ＤｅｂｕｇＯｎ、ＦｌｏｏｒＩＤ、ＬｉｓｔｅｎＰｏｒｔ、ＬｏｃａｔｅＳｌｅｅｐ、ｌｏｇＬｉｎｅＬｉｍｉｔ、ｌｏｇＰａｔｈ、ｒｅｌａｙＡｄｄｒＬｉｓｔ、ＳｅｎｄＩＰ、ＳｅｎｄＰｏｒｔ、および、ＳｑｌＳｅｒｖｅｒＣｏｎｎｅｃｔＳｔｒｉｎｇを含む。具体的には、ＤｅｂｕｇＯｎが「Ｔｒｕｅ」に設定されると、デバッグログファイルが作成され、ランタイム中にメッセージがこのファイルに記録される。ＦｌｏｏｒＩＤは、Ｃｏｎｆｉｇデータベース内のＣｕｓｔｏｍｅｒ．ＦｌｏｏｒテーブルからのＦｌｏｏｒＩＤであり、これは、位置特定サービスのこのインスタンスが実行される対象となるフロアである。ＬｉｓｔｅｎＰｏｒｔは、サービスがデバイスからのメッセージをリッスンするためのネットワークポートである。ＬｏｃａｔｅＳｌｅｅｐは、メッセージバッファでタグ電界強度メッセージをチェックする前に、位置スレッドがスリープするミリ秒数である。ＬｏｇＬｉｎｅＬｉｍｉｔは、新しいファイルを作成するまでにログファイル内で許容可能なライン数の制限である。ＬｏｇＰａｔｈは、ログファイルが作成されるディレクトリである。ＲｅｌａｙＡｄｄｒＬｉｓｔは、デバイスからのメッセージが送信されるＩＰアドレスおよびポートのリストである。ＳｅｎｄＩＰは、データ管理サービスのＩＰアドレスである。ＳｅｎｄＩＰは、データ管理サービスがリッスンしているポートである。ＳｑｌＳｅｒｖｅｒＣｏｎｎｅｃｔＳｔｒｉｎｇは、ａｉｒＰｏｉｎｔｅＣｏｎｆｉｇデータベースにアクセスするために用いる接続文字列である。
【００３６】
位置特定サービスメッセージ
実施形態では、デバイス・ツー・位置特定サービスメッセージが、システム内でタグ情報を通信する。ホストおよびリピータは、位置特定サーバのＩＰアドレスを備えるようプログラムされる。位置特定サービスは、すべてのホストおよびリピータからのメッセージのためのポートをリッスンする。メッセージは、ルータＭＡＣ、ルータタイプ、タグＭＡＣ、タグタイプ、パケットタイプ、シーケンス数、ホスト送信電力、タグによって測定されたホスト電界強度、タグ送信電力、ホストによって測定されたタグ電界強度、および、ホストＭＡＣを含む。位置特定サービスは、メッセージタイプ（例えば、タグ電界強度クエリ、タグ電圧、および、タグ周囲温度）を調べる。タグ電圧およびタグ周囲温度のデータは、データ管理サービスに転送される。タグ電界強度メッセージは、設定可能な期間中、バッファ内に格納された後に、タグ位置が決定される位置特定アルゴリズムによって処理され、データ管理サービスが、ＰｒｏｊｅｃｔＩｎｓｉｇｈｔ（商標）のプロジェクト管理データベース内のタグの現在位置を更新する。
【００３７】
実施形態において、位置特定サービス・ツー・データ管理サービスメッセージは、タグ位置、バッテリ電圧、周囲温度、ホストに対する電界強度、位置未特定タグ、および、タグ近接を含む。タグ位置メッセージは、特定のセクタ／ゾーンにタグの位置を特定できた場合に送信される。バッテリ電圧メッセージ、周囲温度メッセージ、および、ホストに対する電界強度メッセージは変換され、データ管理サービスに送信される。位置未特定タグメッセージは、そのタグの測定値が特定のセクタ／ゾーンに位置づけられない場合にデータ管理サービスに送信される。次いで、データ管理サービスは、サブゾーンおよびオーバーライド・ルールを用いて、一致が見出された場合にタグを位置に割り当てることができる。タグ近接メッセージは、特定のセクタ／ゾーンにタグの位置を特定できた場合に送信される。
【００３８】
位置メカニズム
実施形態において、位置決定メカニズムは、ホスト上の閾値設定を用いて、タグが正しいセクタと関連付けられることを保証する。セクタ／ゾーン／サブゾーンの構成および部屋位置へのセクタ／ゾーン／サブゾーンの割り当ても含まれる。位置決定メカニズムは、位置特定サービスおよびデータ管理サービスの間で分担される。一般に、位置特定サービスは、タグがどのセクタおよびゾーン「の中にある」のかを決定する。位置特定サービスは、この決定を、ゾーンを構成するホストおよび２つのリピータに対する電界強度測定値と共にタグ位置メッセージでデータ管理サービスに送信する。位置特定サービスは、メッセージをリッスンし、次いで、それらのメッセージをＴａｇＩＤに基づいて分類する。次に、メッセージを最大電界強度から最小電界強度の順にソートする。その後、リストを調べて、セクタ内の第１のゾーン一致（最大測定値を有するゾーン）を見つけ出す。これが完了すると、タグ位置メッセージをデータ管理サービスに送信する。データ管理サービスは、セクタ／ゾーン／サブゾーンから位置名へのマッピングを行うキーフィールドを備えるよう構成される。マッピングの一例は：０ｘＢ３０５  ＯＲ７である。このマッピングは、セクタ０ｘＢ、ゾーン０ｘ３サブゾーン０ｘ５が、位置「手術室７（ＯＲ７）」に対応することを意味する。
【００３９】
データ管理サービスは、タグ位置メッセージを受信すると、３つの電界強度値を用いて、タグが位置づけられるサブゾーンを決定する。３つの電界強度値を比較し、それらの比較に基づいて、適切なサブゾーン内にタグを位置づける。比較は浮動小数点ｄＢｍ値を用いて行われるため、設定可能な範囲を用いて、値がほぼ等しいか否かが決定される。デフォルトの範囲は、＋／−５．０ｄＢｍである。
【００４０】
データ管理サービスは、上述のサブゾーン計算をオーバーライドして、ゾーン内のデバイスの電界強度値が特定のｄＢｍの範囲に収まる場合に、所定の位置にタグを位置づけるよう構成されてよい。例えば、セクタ１ゾーン３についてのタグ位置メッセージが受信され、タグからホストへのｄＢｍ値が−４７から−６１の間であり、リピータ１によって読み取られたｄＢｍ値が−３３から−５３の間であり、リピータ２によって読み取られたｄＢｍ値が−２９から−３９の間にある場合に、手術室１（ＯＲ−１）にタグを位置づけるというルールを作成できる。実施形態では、これらのルールが構成されて、ＸＭＬ構成ファイルに書き込まれる。データ管理サービスは、位置未特定タグメッセージ内のｄＢｍ値が特定の範囲に収まる場合に、特定の位置にタグを位置づけるよう構成されてよい。例えば、ルールは、データ管理サービスがリーダＡ、Ｂ、Ｃ、および、Ｄについての位置未特定タグメッセージを受信し、ＡのｄＢｍ測定値が−３２から−３６の間であり、ＢのｄＢｍ測定値が−４２から−５２の間であり、ＣのｄＢｍ測定値が−２５から−４５の間であり、ＤのｄＢｍ測定値が−６３から−６７の間である場合に、手術室２２（ＯＲ−２２）にタグを位置づけるというルールを作成できる。実施形態では、これらのルールが構成されて、ＸＭＬ構成ファイルに書き込まれる。
【００４１】
ホストが「近接デバイス」として構成された場合（すなわち、ＰｒｏｘｉｍｉｔｙＤｅｖｉｃｅフラグがＤｅｖｉｃｅ．Ｒｏｕｔｅｒテーブル内でＴｒｕｅに設定された場合）、データ管理サービスは、近接デバイスホストに現れるタグを特定の位置に割り当てるよう構成されてよい。実施形態では、これらのルールが構成されて、ＸＭＬ構成ファイルに書き込まれる。
【００４２】
図８は、本発明の一実施形態に従って構成された位置特定システム８００の構成要素を示す。データ管理サーバ８０５は、１または複数の位置特定サーバ８１０、ユーザアプリケーション８１５、および、システムアプリケーション８２０とインターフェースをとる。１または複数の位置特定サーバ８１０は、システム管理サービス８２５および追跡レイヤサービス８３０を備える。追跡要素８３５は追跡マトリクス８４０を構成する。追跡要素８３５は、デバイス・追跡レイヤ・インターフェース（ＤＴＬＩ）によって、１または複数の位置特定サーバ８１０のこれらのサービスとインターフェースをとる。１または複数の位置特定サーバ８１０は、追跡・コンテキストレイヤ・インターフェース（ＴＣＬＩ）によって、データ管理サーバ８０５と通信する。データベース８４５は、関係性レイヤサービス８５０、コンテキストレイヤサービス８５５、追跡レイヤサービス８６０、および、システム管理サービス８６５からの入力を受信する。システム管理サービス８６５は、システム管理インターフェースサービス８７０と通信する。システム管理インターフェースサービス８７０は、システム管理アプリケーションプログラミングインターフェース（ＳＭＡＰＩ）によってウェブサービス８７５を通してシステムアプリケーション８２０と通信する。データベース８４５は、関係性レイヤインターフェースサービス８８０、コンテキストレイヤインターフェースサービス８８５、および、追跡レイヤインターフェースサービス８９０を提供する。関係性レイヤインターフェースサービス８８０は、関係性アプリケーションプログラミングインターフェース（ＲＡＰＩ）によってウェブサービス８７５を通してユーザアプリケーション８１５と通信する。コンテキストレイヤインターフェースサービス８８５は、コンテキストアプリケーションプログラミングインターフェース（ＣＡＰＩ）によってウェブサービス８７５を通してユーザアプリケーション８１５と通信する。追跡レイヤインターフェースサービス８９０は、追跡アプリケーションプログラミングインターフェース（ＴＡＰＩ）によってウェブサービス８７５を通してユーザアプリケーション８１５と通信する。
【００４３】
以上、例示および説明のために、本発明の実施形態を記載した。包括的であることも、開示された正確な形態に本発明を限定することも意図されていない。本開示に照らして、多くの変形例および変更例が可能である。本発明の範囲は、この詳細な説明ではなく、本明細書に添付された特許請求の範囲によって限定される。
【図１】
2013502585.tif 000004
【図２】
2013502585.tif 000005
【図３】
2013502585.tif 000006
【図４】
2013502585.tif 000007
【図５】
2013502585.tif 000008
【図６】
2013502585.tif 000009
【図７】
2013502585.tif 000010
【図８】
2013502585.tif 000011
【手続補正書】
【提出日】平成24年4月5日(2012.4.5)
【手続補正２】
【補正対象書類名】特許請求の範囲
【補正対象項目名】全文
【補正方法】変更
【補正の内容】
【特許請求の範囲】
【請求項１】
電界領域内での対象物位置追跡のためのシステムであって、
対象物に関連付けられた少なくとも１つのタグと、
少なくとも１つのホストと、
を備え、
前記少なくとも１つのホストは、前記少なくとも１つのタグおよび前記少なくとも１つのホストの内の少なくとも１つによって生成された電界の特性を決定し、それにより、前記電界領域内での前記少なくとも１つのタグの位置が前記特性から決定され、
前記対象物位置追跡は、前記電界領域をマッピングすることを含み、
前記マッピングは、電界パラメータを含み、
前記マッピングされる電界パラメータは、タグからホストへの受信信号強度（ＲＳＳＩ）と、ホストからタグへのＲＳＳＩとを含む、システム。
【請求項２】
請求項１に記載のシステムであって、さらに、
少なくとも１つのリピータを備え、
前記少なくとも１つのリピータおよび前記少なくとも１つのホストの内の少なくとも１つは、前記少なくとも１つのタグ、前記少なくとも１つのホスト、および、前記少なくとも１つのリピータの内の少なくとも１つによって生成された電界の特性を決定し、前記少なくとも１つのリピータは、前記少なくとも１つのホストと通信し、それにより、前記電界領域内での前記少なくとも１つのタグの位置が前記特性から決定される、システム。
【請求項３】
請求項１に記載のシステムであって、前記位置の決定は、三空間次元を含む、システム。
【請求項４】
請求項１に記載のシステムであって、前記電界領域は、少なくとも１つのグループを含む少なくとも１つのセクタを含み、前記少なくとも１つのグループは、少なくとも１つのサブゾーンを含む少なくとも１つのゾーンを含む、システム。
【請求項５】
請求項１に記載のシステムであって、対象物の位置決定はルールを含み、前記ルールは、環境および対象物特性に適合するためのオーバーライドを含む、システム。
【請求項６】
請求項１に記載のシステムであって、前記位置の決定は、タグがホストに関連付けられた時に前記タグを特定の位置に割り当てることを含み、前記ホストは近接デバイスとして構成される、システム。
【請求項７】
請求項１に記載のシステムであって、環境特性および対象物特性が通信され、前記通信はメッセージを含み、前記メッセージは、タグ位置、バッテリ電圧、周囲温度、ホストからのＲＦ強度、位置未特定タグ、および、タグ近接の内の少なくとも１つを含む、システム。
【請求項８】
請求項１に記載のシステムであって、アセットタグの出現によってアセットテーブルが更新される、システム。
【請求項９】
請求項１に記載のシステムであって、対象物追跡が閾値を含むことにより、効率が向上される、システム。
【請求項１０】
対象物を追跡するための方法であって、
領域の電界特性を測定する工程と、
前記測定された特性から少なくとも１つの対象物を特定する工程と、
前記測定された特性から前記対象物の少なくとも位置を決定する工程と、
前記領域の前記電界の前記特性を決定するために較正を行うことによって、前記領域の前記電界を特性に対してマッピングする工程と、
を備える、方法。
【請求項１１】
請求項１０に記載の方法であって、位置を規定するために電界領域がマッピングされる、方法。
【請求項１２】
請求項１０に記載の方法であって、前記特性は、位置に対するＲＦ電界特性を含む、方法。
【請求項１３】
請求項１０に記載の方法であって、位置の解像度が構成可能であることにより、精度および速度が向上される、方法。
【請求項１４】
請求項１０に記載の方法であって、前記少なくとも１つの対象物は、対象物パラメータによってソートされる、方法。
【請求項１５】
請求項１０に記載の方法であって、前記対象物の少なくとも位置を決定する工程は、メッセージチェック頻度を規定する構成可能なスリープ時間を含み、それによって効率が向上される、方法。
【請求項１６】
電界領域内での対象物追跡のためのシステムであって、
少なくとも１つのタグを備える少なくとも１つの対象物と、
少なくとも１つのホストと、
少なくとも１つのリピータと、
を備え、
前記少なくとも１つのリピータは、前記少なくとも１つのタグを備える前記少なくとも１つの対象物によって生成された電界の特性を決定し、前記少なくとも１つのホストと通信し、それによって、前記電界領域内での前記少なくとも１つの対象物の三次元空間位置が前記特性から決定され、特性データベース内に存在しない前記タグに対しては、偽位置メッセージが無視され、電界マッピング特性は拡張マークアップ言語（ＸＭＬ）文書を含み、前記対象物追跡は、ネットワーク外情報、パージ時間、および、メッセージチェック頻度を規定する構成可能なスリープ時間を含み、それによって効率が向上される、システム。
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
電界領域内での対象物位置追跡のためのシステムであって、
対象物に関連付けられた少なくとも１つのタグと、
少なくとも１つのホストと、
を備え、
前記少なくとも１つのホストは、前記少なくとも１つのタグおよび前記少なくとも１つのホストの内の少なくとも１つによって生成された電界の特性を決定し、それにより、前記電界領域内での前記少なくとも１つのタグの位置が前記特性から決定され、
前記対象物位置追跡は、前記電界領域をマッピングすることを含み、
前記マッピングは、電界パラメータを含み、
前記マッピングされる電界パラメータは、タグからホストへの受信信号強度（ＲＳＳＩ）と、ホストからタグへのＲＳＳＩとを含み、
前記電界領域は少なくとも１つのセクタを含み、前記少なくとも１つのセクタのそれぞれは少なくとも１つのグループを含み、前記少なくとも１つのグループのそれぞれは少なくとも１つのゾーンを含み、前記少なくとも１つのゾーンのそれぞれ少なくとも１つのサブゾーンを含み、
前記少なくとも１つのセクタのそれぞれは、前記ホストの少なくとも１つと複数のリピータとを含み、
前記少なくとも１つのグループは、前記ホストの少なくとも１つと複数のリピータとを含み、
前記少なくとも１つのゾーンは、前記ホストの少なくとも１つと複数のリピータとを含み、
前記少なくとも１つのゾーンは、前記少なくとも１つのホストと前記複数のリピータの位置を示す頂点によって規定されたゾーン領域を含み、
前記サブゾーンは、前記少なくとも１つのゾーンのそれぞれの前記頂点で規定された前記ゾーン領域の中にあるサブゾーン領域である、システム。
【請求項２】
請求項１に記載のシステムであって、
前記少なくとも１つのリピータおよび前記少なくとも１つのホストの内の少なくとも１つは、前記少なくとも１つのタグ、前記少なくとも１つのホスト、および、前記少なくとも１つのリピータの内の少なくとも１つによって生成された電界の特性を決定し、前記少なくとも１つのリピータは、前記少なくとも１つのホストと通信し、それにより、前記電界領域内での前記少なくとも１つのタグの位置が前記特性から決定される、システム。
【請求項３】
請求項１に記載のシステムであって、前記位置の決定は、三空間次元を含む、システム。
【請求項４】
請求項１に記載のシステムであって、
前記ゾーン領域は、前記頂点で規定された三次元の多面体形状を有する、システム。
【請求項５】
請求項１に記載のシステムであって、対象物の位置決定はルールを含み、前記ルールは、環境および対象物特性に適合するためのオーバーライドを含む、システム。
【請求項６】
請求項１に記載のシステムであって、前記位置の決定は、タグがホストに関連付けられた時に前記タグを特定の位置に割り当てることを含み、前記ホストは近接デバイスとして構成される、システム。
【請求項７】
請求項１に記載のシステムであって、環境特性および対象物特性が通信され、前記通信はメッセージを含み、前記メッセージは、タグ位置、バッテリ電圧、周囲温度、ホストからのＲＦ強度、位置未特定タグ、および、タグ近接の内の少なくとも１つを含む、システム。
【請求項８】
請求項１に記載のシステムであって、資産タグの出現によって資産テーブルが更新される、システム。
【請求項９】
請求項１に記載のシステムであって、対象物追跡が閾値を含むことにより、効率が向上される、システム。
【請求項１０】
対象物を追跡するための方法であって、
領域の電界特性を測定する工程と、
前記測定された特性から少なくとも１つの対象物を特定する工程と、
前記測定された特性から前記対象物の少なくとも位置を決定する工程と、
前記領域の前記電界の前記特性を決定するために較正を行うことによって、前記領域の前記電界を特性に対してマッピングする工程と、
を備え、
前記電界領域は少なくとも１つのセクタを含み、前記少なくとも１つのセクタのそれぞれは少なくとも１つのグループを含み、前記少なくとも１つのグループのそれぞれは少なくとも１つのゾーンを含み、前記少なくとも１つのゾーンのそれぞれ少なくとも１つのサブゾーンを含み、
前記少なくとも１つのセクタのそれぞれは、前記ホストの少なくとも１つと複数のリピータとを含み、
前記少なくとも１つのグループは、前記ホストの少なくとも１つと複数のリピータとを含み、
前記少なくとも１つのゾーンは、前記ホストの少なくとも１つと複数のリピータとを含み、
前記少なくとも１つのゾーンは、前記少なくとも１つのホストと前記複数のリピータの位置を示す頂点によって規定されたゾーン領域を含み、
前記サブゾーンは、前記少なくとも１つのゾーンのそれぞれの前記頂点で規定された前記ゾーン領域の中にあるサブゾーン領域である、方法。
【請求項１１】
請求項１０に記載の方法であって、位置を規定するために電界領域がマッピングされる、方法。
【請求項１２】
請求項１０に記載の方法であって、前記特性は、位置に対するＲＦ電界特性を含む、方法。
【請求項１３】
請求項１０に記載の方法であって、前記ゾーン領域は、前記頂点で規定された三次元の多面体形状を有する、方法。
【請求項１４】
請求項１０に記載の方法であって、前記少なくとも１つの対象物は、対象物パラメータによってソートされる、方法。
【請求項１５】
請求項１０に記載の方法であって、前記対象物の少なくとも位置を決定する工程は、メッセージチェック頻度を規定する構成可能なスリープ時間を含み、それによって効率が向上される、方法。
【請求項１６】
電界領域内での対象物追跡のためのシステムであって、
少なくとも１つのタグを備える少なくとも１つの対象物と、
少なくとも１つのホストと、
少なくとも１つのリピータと、
を備え、
前記少なくとも１つのリピータは、前記少なくとも１つのタグを備える前記少なくとも１つの対象物によって生成された電界の特性を決定し、前記少なくとも１つのホストと通信し、それによって、前記電界領域内での前記少なくとも１つの対象物の三次元空間位置が前記特性から決定され、特性データベース内に存在しない前記タグに対しては、偽位置メッセージが無視され、電界マッピング特性は拡張マークアップ言語（ＸＭＬ）文書を含み、前記対象物追跡は、ネットワーク外情報、パージ時間、および、メッセージチェック頻度を規定する構成可能なスリープ時間を含み、それによって効率が向上され、
前記電界領域は少なくとも１つのセクタを含み、前記少なくとも１つのセクタのそれぞれは少なくとも１つのグループを含み、前記少なくとも１つのグループのそれぞれは少なくとも１つのゾーンを含み、前記少なくとも１つのゾーンのそれぞれ少なくとも１つのサブゾーンを含み、
前記少なくとも１つのセクタのそれぞれは、前記ホストの少なくとも１つと複数のリピータとを含み、
前記少なくとも１つのグループは、前記ホストの少なくとも１つと複数のリピータとを含み、
前記少なくとも１つのゾーンは、前記ホストの少なくとも１つと複数のリピータとを含み、
前記少なくとも１つのゾーンは、前記少なくとも１つのホストと前記複数のリピータの位置を示す頂点によって規定されたゾーン領域を含み、
前記サブゾーンは、前記少なくとも１つのゾーンのそれぞれの前記頂点で規定された前記ゾーン領域の中にあるサブゾーン領域である、システム。
【手続補正２】
【補正対象書類名】明細書
【補正対象項目名】０００３
【補正方法】変更
【補正の内容】
【０００３】
リアルタイム位置情報システム（ＲＴＬＳ）は、通例、関連付けられたタグによって対象物を追跡する。それらのシステムは、ユニークデバイス識別（ＵＤＩ）を提供することが可能であり、ＲＦ信号の受信信号強度（ＲＳＳＩ）を用いて相対的な位置を算出しうる。個人に対しては、医療施設、倉庫、位置が重要となるその他の場所などの環境で追跡を行うために、バッジが用いられる。固定または携帯型リーダと通信するために、社員バッジおよびアセットタグ（資産タグ）は、パッシブまたはアクティブＲＦＩＤを備えてよい。
【手続補正３】
【補正対象書類名】明細書
【補正対象項目名】０００５
【補正方法】変更
【補正の内容】
【０００５】
これらのシステムは、様々なレベルの精度で人および物品を監視する。病院施設などの複数の環境に適した拡張可能なシステムで資産（アセット）およびそれらの属性を経済的かつ正確に追跡できることが求められている。
【手続補正４】
【補正対象書類名】明細書
【補正対象項目名】０００７
【補正方法】変更
【補正の内容】
【０００７】
実施形態は、電界領域内での対象物位置追跡のためのシステムを含み、システムは、対象物に関連付けられた少なくとも１つのタグと、少なくとも１つのホストと、を備え、少なくとも１つのホストは、少なくとも１つのタグおよび少なくとも１つのホストの内の少なくとも１つによって生成された電界の特性を決定し、それにより、電界領域内での少なくとも１つのタグの位置が特性から決定される。別の実施形態は、さらに、少なくとも１つのリピータを備え、少なくとも１つのリピータおよび少なくとも１つのホストの内の少なくとも１つは、少なくとも１つのタグ、少なくとも１つのホスト、および、少なくとも１つのリピータの内の少なくとも１つによって生成された電界の特性を決定し、少なくとも１つのリピータは、少なくとも１つのホストと通信し、それにより、電界領域内での少なくとも１つのタグの位置が特性から決定される。さらなる実施形態では、位置決定は、三空間次元を含む。別の実施形態において、電界領域は、少なくとも１つのグループを含む少なくとも１つのセクタを含み、少なくとも１つのグループは、少なくとも１つのサブゾーンを含む少なくとも１つのゾーンを含む。さらに別の実施形態では、対象物の位置決定はルールを含み、ルールは、環境および対象物特性に適合するためのオーバーライドを含み、位置決定は、タグがホストに関連付けられた時にタグを特定の位置に割り当てることを含み、ホストは近接デバイスとして構成される。別の実施形態において、環境特性および対象物特性の通信はメッセージを含み、メッセージは、タグ位置、バッテリ電圧、周囲温度、ホストからのＲＦ強度、位置未特定タグ、および、タグ近接の内の少なくとも１つを含む。さらなる実施形態では、対象物位置追跡は、電界領域をマッピングすることを含み、マッピングは電界パラメータを含む。さらに別の実施形態では、マッピングされる電界パラメータが、タグからホストへの受信信号強度（ＲＳＳＩ）と、ホストからタグへのＲＳＳＩとを含み、アセットタグ（資産タグ）の出現によってアセットテーブル（資産テーブル）が更新され、対象物追跡が閾値を含むことにより、効率が向上される。
【手続補正５】
【補正対象書類名】明細書
【補正対象項目名】００１０
【補正方法】変更
【補正の内容】
【００１０】
本発明による一形態は、電界領域内での対象物位置追跡のためのシステムであって、
対象物に関連付けられた少なくとも１つのタグと、
少なくとも１つのホストと、
を備え、
前記少なくとも１つのホストは、前記少なくとも１つのタグおよび前記少なくとも１つのホストの内の少なくとも１つによって生成された電界の特性を決定し、それにより、前記電界領域内での前記少なくとも１つのタグの位置が前記特性から決定され、
前記対象物位置追跡は、前記電界領域をマッピングすることを含み、
前記マッピングは、電界パラメータを含み、
前記マッピングされる電界パラメータは、タグからホストへの受信信号強度（ＲＳＳＩ）と、ホストからタグへのＲＳＳＩとを含み、
前記電界領域は少なくとも１つのセクタを含み、前記少なくとも１つのセクタのそれぞれは少なくとも１つのグループを含み、前記少なくとも１つのグループのそれぞれは少なくとも１つのゾーンを含み、前記少なくとも１つのゾーンのそれぞれ少なくとも１つのサブゾーンを含み、
前記少なくとも１つのセクタのそれぞれは、前記ホストの少なくとも１つと複数のリピータとを含み、
前記少なくとも１つのグループは、前記ホストの少なくとも１つと複数のリピータとを含み、
前記少なくとも１つのゾーンは、前記ホストの少なくとも１つと複数のリピータとを含み、
前記少なくとも１つのゾーンは、前記少なくとも１つのホストと前記複数のリピータの位置を示す頂点によって規定されたゾーン領域を含み、
前記サブゾーンは、前記少なくとも１つのゾーンのそれぞれの前記頂点で規定された前記ゾーン領域の中にあるサブゾーン領域である。
本発明は、また、以下のような適用例としても実現可能である。
［適用例１］
電界領域内での対象物位置追跡のためのシステムであって、
対象物に関連付けられた少なくとも１つのタグと、
少なくとも１つのホストと、
を備え、
前記少なくとも１つのホストは、前記少なくとも１つのタグおよび前記少なくとも１つのホストの内の少なくとも１つによって生成された電界の特性を決定し、それにより、前記電界領域内での前記少なくとも１つのタグの位置が前記特性から決定される、システム。
［適用例２］
適用例１に記載のシステムであって、さらに、
少なくとも１つのリピータを備え、
前記少なくとも１つのリピータおよび前記少なくとも１つのホストの内の少なくとも１つは、前記少なくとも１つのタグ、前記少なくとも１つのホスト、および、前記少なくとも１つのリピータの内の少なくとも１つによって生成された電界の特性を決定し、前記少なくとも１つのリピータは、前記少なくとも１つのホストと通信し、それにより、前記電界領域内での前記少なくとも１つのタグの位置が前記特性から決定される、システム。
［適用例３］
適用例１に記載のシステムであって、前記位置の決定は、三空間次元を含む、システム。
［適用例４］
適用例１に記載のシステムであって、前記電界領域は、少なくとも１つのグループを含む少なくとも１つのセクタを含み、前記少なくとも１つのグループは、少なくとも１つのサブゾーンを含む少なくとも１つのゾーンを含む、システム。
［適用例５］
適用例１に記載のシステムであって、対象物の位置決定はルールを含み、前記ルールは、環境および対象物特性に適合するためのオーバーライドを含む、システム。
［適用例６］
適用例１に記載のシステムであって、前記位置の決定は、タグがホストに関連付けられた時に前記タグを特定の位置に割り当てることを含み、前記ホストは近接デバイスとして構成される、システム。
［適用例７］
適用例１に記載のシステムであって、環境特性および対象物特性の通信はメッセージを含み、前記メッセージは、タグ位置、バッテリ電圧、周囲温度、ホストからのＲＦ強度、位置未特定タグ、および、タグ近接の内の少なくとも１つを含む、システム。
［適用例８］
適用例１に記載のシステムであって、前記対象物位置追跡は、前記電界領域をマッピングすることを含む、システム。
［適用例９］
適用例８に記載のシステムであって、前記マッピングは、電界パラメータを含む、システム。
［適用例１０］
適用例１に記載のシステムであって、マッピングされる電界パラメータが、タグからホストへの受信信号強度（ＲＳＳＩ）と、ホストからタグへのＲＳＳＩとを含む、システム。
［適用例１１］
適用例１に記載のシステムであって、アセットタグの出現によってアセットテーブルが更新される、システム。
［適用例１２］
適用例１に記載のシステムであって、対象物追跡が閾値を含むことにより、効率が向上される、システム。
［適用例１３］
対象物を追跡するための方法であって、
領域の電界特性を測定する工程と、
前記測定された特性から少なくとも１つの対象物を特定する工程と、
前記測定された特性から前記対象物の少なくとも位置を決定する工程と、
を備える、方法。
［適用例１４］
適用例１３に記載の方法であって、位置を規定するために電界領域がマッピングされる、方法。
［適用例１５］
適用例１３に記載の方法であって、さらに、前記領域の前記電界の前記特性を決定するために較正を行うことによって、前記領域の前記電界を特性に対してマッピングする工程を備える、方法。
［適用例１６］
適用例１３に記載の方法であって、前記特性は、位置に対するＲＦ電界特性を含む、方法。
［適用例１７］
適用例１３に記載の方法であって、位置の解像度が設定可能であることにより、精度および速度が向上される、方法。
［適用例１８］
適用例１３に記載の方法であって、前記少なくとも１つの対象物は、対象物パラメータによってソートされる、方法。
［適用例１９］
適用例１３に記載の方法であって、前記対象物の少なくとも位置を決定する工程は、メッセージチェック頻度を規定する設定可能なスリープ時間を含み、それによって効率が向上される、方法。
［適用例２０］
電界領域内での対象物追跡のためのシステムであって、
少なくとも１つのタグを備える少なくとも１つの対象物と、
少なくとも１つのホストと、
少なくとも１つのリピータと、
を備え、
前記少なくとも１つのリピータは、前記少なくとも１つのタグを備える前記少なくとも１つの対象物によって生成された電界の特性を決定し、前記少なくとも１つのホストと通信し、それによって、前記電界領域内での前記少なくとも１つの対象物の三次元空間位置が前記特性から決定され、特性データベース内に存在しない前記タグに対しては、偽位置メッセージが無視され、電界マッピング特性は拡張マークアップ言語（ＸＭＬ）文書を含み、前記対象物追跡は、ネットワーク外情報、パージ時間、および、メッセージチェック頻度を規定する設定可能なスリープ時間を含み、それによって効率が向上される、システム。
本明細書に記載された特徴および利点はすべてを包含しているわけではなく、特に、図面、明細書、および、特許請求の範囲を鑑みれば、多くのさらなる特徴および利点が当業者にとって明らかになる。さらに、本明細書で用いられている言語は、主に読みやすさと教示を目的として選択されたものであり、本発明の主題の範囲を限定しない。
【手続補正６】
【補正対象書類名】明細書
【補正対象項目名】００３３
【補正方法】変更
【補正の内容】
【００３３】
データ管理サービスアプリケーション構成
データ管理サービスアプリケーション構成設定が、データ管理サービスアプリケーション構成ファイルに含まれる。実施形態において、データ管理サービスのためのアプリケーション構成設定は、ＡｕｔｏＡｄｄＴａｇｓ、ｂａｔｔｅｒｙＤｅｌｔａ、ｂａｔｔｅｒｙＭａｘ、ｂａｔｔｅｒｙＭｉｎ、ｃｏｎｆｉｇＦｉｌｅｎａｍｅ、ＤｅｂｕｇＯｎ、ｆｌｏａｔＥｑｕａｌＲａｎｇｅ、ＬｉｓｔｅｎＰｏｒｔ、ｌｏｃａｔｉｏｎＡｇｅＯｕｔ、ｌｏｇＬｉｎｅＬｉｍｉｔ、ｌｏｇＰａｔｈ、ｐｕｒｇｅＨｏｕｒｓ、ＳｑｌＳｅｒｖｅｒＣｏｎｎｅｃｔＳｔｒｉｎｇ、ＴａｇＰｒｅｆｉｘ、ｔｅｍｐＭａｘ、ｔｅｍｐＭｉｎ、および、ｘｍｌＰａｔｈを含む。具体的には、ＡｕｔｏＡｄｄＴａｇｓが「Ｔｒｕｅ」に設定された場合、位置メッセージが位置特定サービスから受信されると、例えば、プロジェクト「可動生物医学アセット（可動生物医学資産）」のテーブル内に存在しないタグが自動的に追加される。「Ｆａｌｓｅ」に設定された場合、位置メッセージは、データベースに存在しないタグについては無視される。データ管理サービスは、ｂａｔｔｅｒｙＤｅｌｔａ構成設定より大きいバッテリ電圧の変化を記録する。バッテリ電圧の変化は、ＰｒｏｊｅｃｔＩｎｓｉｇｈｔ（商標）データベース内のＴａｇＶｏｌｔａｇｅＣｈａｎｇｅｓテーブルに記録される。ＢａｔｔｅｒｙＭａｘはバッテリ電圧の最大値であり、この量を超える値は無視される。ＢａｔｔｅｒｙＭｉｎはバッテリ電圧の最小値であり、この量より小さい値は無視される。実施形態の説明を続けると、ＣｏｎｆｉｇＦｉｌｅｎａｍｅは、セクタ／ゾーン構成を記述するＸＭＬファイルの名前である。ＤｅｂｕｇＯｎが「Ｔｒｕｅ」に設定されると、デバッグログファイルが作成され、ランタイム中にメッセージがこのファイルに記録される。ファイルは、ｌｏｇＰａｔｈとして設定されたディレクトリに置かれる。ＦｌｏａｔＥｑｕａｌＲａｎｇｅ値は、２つの浮動小数点数が「等しい」すなわち等価であると見なされるか否かを判定するために用いられる。これは、２以上のデバイスによって読み取られた場合にタグの信号強度値を比較する際に用いられる。その値は、プラスまたはマイナスであるため、値「３」は、＋／−３．０の範囲を有する。ＬｉｓｔｅｎＰｏｒｔは、サービスが位置特定サービスからのメッセージをリッスンするためのネットワークポートである。ＬｏｃａｔｉｏｎＡｇｅＯｕｔは、タグが「ネットワーク外」であるか否かを判定するためにデータ管理サービスが用いる秒数である。ＬｏｇＬｉｎｅＬｉｍｉｔは、新しいファイルを作成するまでのログファイル内のライン数の制限である。ＬｏｇＰａｔｈは、ログファイルが作成されるディレクトリである。ＰｕｒｇｅＨｏｕｒｓは、ＡｓｓｅｔＬｏｃａｔｉｏｎＬｏｇ内に値が保持されるパージまでの期間である。ＳｑｌＳｅｒｖｅｒＣｏｎｎｅｃｔＳｔｒｉｎｇは、ＰｒｏｊｅｃｔＩｎｓｉｇｈｔ（商標）データベースにアクセスするために用いる接続文字列である。ＴａｇＰｒｅｆｉｘは、ＡｕｔｏＡｄｄＴａｇｓが「Ｔｒｕｅ」に設定された場合に用いられる。ｍｏｂｌｉｅＢｉｏｍｅｄＡｓｓｅｔテーブルのＰｒｏｄｕｃｔＮａｍｅフィールドは、この設定の値の後に、キャピタライズされた１６進数を含むタグのＭＡＣアドレスの最後の３バイトを足したものに自動的に設定される。ＴｅｍｐＭａｘは、周囲温度の測定値の最大値であり、この量を超える値は無視される。ＴｅｍｐＭｉｎは、周囲温度の測定値の最小値であり、この量より小さい値は無視される。ＸｍｌＰａｔｈは、セクタ／ゾーン構成を記述するＸＭＬファイルの名前である。
【国際調査報告】
2013502585.tif 000012
2013502585.tif 000013